【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
個体の皮膚の層内の投与部位にメトトレキサートを送達するデバイスにおいて、
投与部位を覆うアプリケータであって、第１の表面から突出して皮膚を貫く複数のニードルを備え、前記ニードルと前記表面が非導電性材料から形成されているものと、
前記アプリケータによって支持されてメトトレキサート、またはメトトレキサートとその導電性キャリアとを収容するマトリックスとを含み、
前記アプリケータが導電性材料から形成されている第２の表面を備えているデバイス。
【請求項２】
前記２つの表面が、対向し合うようにそれぞれアプリケータに設けられて、メトトレキサート、またはメトトレキサートとそのキャリアとを密閉している請求項１のデバイス。
【請求項３】
ニードルが非導電性のマイクロニードルを含む請求項１のデバイス。
【請求項４】
前記ニードルが非導電性のマイクロニードルを含み、
前記第１の表面が前記マイクロニードルを支持する不浸透性の非導電性膜を含み、
前記第２の表面が前記第１の表面の反対側にあって前記皮膚に接する面の反対側に導電性の不浸透膜を含み、
前記アプリケータの端部が少なくとも部分的に非導電性材料から形成されている請求項１のデバイス。
【請求項５】
アプリケータによって支持されているニードルの密度が、１〜１０００本／ｃｍ２の範囲である請求項１のデバイス。
【請求項６】
ニードルがマイクロニードルを含み、
各ニードルが該ニードルの基部の幅に対する長さの比が約０．５〜２．０の範囲にされている請求項１のデバイス。
【請求項７】
ニードルがマイクロニードルを含み、
各ニードルのオリフィスがマトリックスから皮膚の層に薬剤が流れる経路を備えている請求項１のデバイス。
【請求項８】
アプリケータと第１の電極とが相互に分離可能にされている請求項１のシステム。
【請求項９】
アプリケータが変化する個体の皮膚曲面に合うような弾性材料から作製されている請求項１のシステム。
【請求項１０】
個体の皮膚の電気抵抗層の下の投与部位にメトトレキサートを送達するシステムにおいて、
複数のアプリケータからなるシートであって、各アプリケータが選択的に分離可能であり、１つまたはそれ以上のアプリケータが投与部位と電気抵抗層とを覆い、各アプリケータが一面から突出して個体の皮膚の電気抵抗層を貫く複数のニードルを備えているものと、
各アプリケータによって支持されてメトトレキサート、またはメトトレキサートとその導電性キャリアを収容するマトリックスと、
電源に電気的に接続され、各アプリケータに支持されている第１の電極とを含み、
１つまたはそれ以上のアプリケータが投与部位上の個体の皮膚に当接された状態で、
電源と第２の電極とが接続されて、１つまたはそれ以上の第１の電極、１つまたはそれ以上のアプリケータのメトトレキサートまたはそれの導電性キャリア、個体の身体の部分、第２の電極、電源を経由する電気回路が完成すると、
電流が流れて、メトトレキサートまたはメトトレキサートとそれの動動性キャリアを１つまたはそれ以上のアプリケータを介して個体の皮膚の投与部位へと動電的に移動させるシステム。
【請求項１１】
ニードルが非導電性のマイクロニードルを含む請求項１０のシステム。
【請求項１２】
ニードルが熱可塑性材料から形成されている請求項１０のシステム。
【請求項１３】
各アプリケータとそれに支持されている電極とが相互に分離可能にされている請求項１０のシステム。
【請求項１４】
１つまたはそれ以上のアプリケータが個体の皮膚曲面に合うような弾性材料から作製されている請求項１０のシステム。
【請求項１５】
ニードルがマイクロニードルを含み、
前記マイクロニードルが非導電性のコーティングがされた金属から形成されている請求項１０のシステム。
【請求項１６】
ニードルが焼結材料から形成されたマイクロニードルを含む請求項１０のシステム。
【請求項１７】
前記アプリケータが前記ニードルを支持する不浸透性の非導電性膜を含む請求項１０のシステム。
【請求項１８】
前記ニードルが非導電性材料から形成されている請求項１０のシステム。
【請求項１９】
前記アプリケータが不浸透性膜から離れた該アプリケータの面上に導電性膜を含んでいる請求項１０のシステム。
【請求項２０】
前記ニードルが非中空である請求項１０のシステム。
【請求項２１】
各アプリケータのニードルが、マトリックスに収容されているメトトレキサートまたはメトトレキサートとその導電性キャリアに連絡し、マトリックスから離れた位置に開口して投与部位にメトトレキサートを送達する１つまたはそれ以上のオリフィスを含んでいる請求項１０のシステム。
【請求項２２】
ニードルが非中空であって、溶解性材料から形成されている請求項１０のシステム。
【請求項２３】
ニードルが非中空であってマルトースから形成されている請求項１０のシステム。
【請求項２４】
メトトレキサート、またはオリゴマー、もしくはオリゴマー核酸の少なくとも１つからなる薬剤を哺乳類患者の皮膚の電気抵抗層の下の投与部位に送達するデバイスにおいて、
皮膚および投与部位の上に配置できるように適応された複数のアプリケータのアレイであって、前記アプリケータそれぞれが薬剤マトリックスと該アプリケータから突出して皮膚を貫通する少なくとも１つのニードルとを含んでいるものと、
それぞれが１つまたはそれ以上のアプリケータに電気的に接続可能な複数の第１の電極であって、各第１の電極が少なくとも１つのアプリケータに接続されるが全てのアプリケータには接続されないものと、
複数の第１の電極と電気的に接続されたコントローラであって、各電極に別々に電流を印加し、１つの電極に印加される電流が他の電極に印加される電流と異なるものとを含むデバイス。
【請求項２５】
電極に印加される電流が各電極に印加される電流と異なる請求項２４のデバイス。
【請求項２６】
電極に印加される電流が各電極に連続して印加される電流と異なる請求項２４のデバイス。
【請求項２７】
第１の電極が活性電極であって、
複数のアプリケータのアレイから独立した、患者に当接されるカウンタ電極を含む請求項２４のデバイス。
【請求項２８】
各第１の電極がただ１つのアプリケータに電気的に接続可能である請求項２４のデバイス。
【請求項２９】
各第１の電極が複数のアプリケータに電気的に接続可能である請求項２４のデバイス。
【請求項３０】
複数のアプリケータのアレイが複数の列の状態で配列され、
各列用の電極があって、
各電極が、電極に対応する列のアプリケータ全てに対して電気的に接続可能である請求項２４のデバイス。
【請求項３１】
コントローラがマルチチャンネルコントローラであって、各チャンネルが、前記電極の１つに流れる電流を制御する請求項２４のデバイス。
【請求項３２】
コントローラが、マイクロプロセッサ、プログラマブルロジックアレイ、または他の集積回路の少なくとも１つである請求項２４のデバイス。
【請求項３３】
各アプリケータから突出している少なくとも１つのニードルが、電流が印加される前に溶解する非中空のニードルである請求項２４のデバイス。
【請求項３４】
各アプリケータから突出している少なくとも１つのニードルが、マトリックス内の薬剤に連絡したオリフィスを含み、
オリフィスがマトリックスから離れた位置に開口して投与部位に薬剤を送達する請求項２４のデバイス。
【請求項３５】
各ニードルが非導電性材料から形成されている請求項２４のデバイス。
【請求項３６】
マトリックスが前記アプリケータから解放可能に取り付けられている請求項２４のデバイス。
【請求項３７】
導電性キャリアが薬剤とともにマトリックスに含まれている請求項２４のデバイス。
【請求項３８】
哺乳類患者の皮膚の下の投与部位に薬剤を送達するデバイスにおいて、
皮膚および投与部位の上に配置できるように適応された複数のアプリケータのアレイであって、前記アプリケータそれぞれが皮膚に近接するように配置された第１の表面とその反対側に活性電極と接続される表面とを備えるとともに、薬剤マトリックスと該薬剤マトリックスから突出して第１の表面を介して皮膚を貫く少なくとも１つのニードルとを含んだものと、
それぞれが１つまたはそれ以上のアプリケータに電気的に接続可能な複数の活性電極であって、各活性電極が少なくとも１つのアプリケータに接続されるが全てのアプリケータには接続されないものと、
複数の第１の電極と電気的に接続されたコントローラであって、各活性電極に別々に電流を印加し、１つの活性電極に印加される電流が他の活性電極に印加される電流と異なるものと、
患者に接続可能なグランド電極であって、活性電極に印加した電流が患者を介して該グランド電極に流れる電気経路を形成するものとを含むデバイス。
【請求項３９】
電極に印加される電流が各電極に印加される電流と異なる請求項３８のデバイス。
【請求項４０】
電極に印加される電流が各電極に連続して印加される電流と異なる請求項３８のデバイス。
【請求項４１】
第１の電極が活性電極であって、
複数のアプリケータのアレイから独立した、患者に当接されるカウンタ電極を含む請求項３８のデバイス。
【請求項４２】
各第１の電極がただ１つのアプリケータに電気的に接続可能である請求項３８のデバイス。
【請求項４３】
各第１の電極が複数のアプリケータに電気的に接続可能である請求項３８のデバイス。
【請求項４４】
複数のアプリケータのアレイが複数の列の状態で配列され、
各列用の電極があって、
各電極が、電極に対応する列のアプリケータ全てに対して電気的に接続可能である請求項３８のデバイス。
【請求項４５】
コントローラがマルチチャンネルコントローラであって、各チャンネルが、前記電極の１つに流れる電流を制御する請求項３８のデバイス。
【請求項４６】
コントローラが、マイクロプロセッサ、プログラマブルロジックアレイ、または他の集積回路の少なくとも１つである請求項３８のデバイス。
【請求項４７】
各アプリケータから突出している少なくとも１つのニードルが、アプリケータから突出している複数のニードルである請求項３８のデバイス。
【請求項４８】
各アプリケータから突出する少なくとも１つのニードルが、マトリックス内の薬剤に連絡したオリフィスを含み、
オリフィスがマトリックスから離れた位置に開口して投与部位に薬剤を送達する請求項３８のデバイス。
【請求項４９】
各ニードルが非導電性材料から形成されている請求項３８のデバイス。
【請求項５０】
マトリックスが前記アプリケータから解放可能に取り付けられている請求項３８のデバイス。
【請求項５１】
導電性キャリアが薬剤とともにマトリックスに含まれている請求項３８のデバイス。
【請求項５２】
ニードルが非中空であって溶解性材料から形成されている請求項３８のデバイス。